(57)【要約】【課題】外壁面に断熱材が取り付けられた構造物にサッシを溶接で取り付ける際に、簡易かつ確実に溶接火花から養生できるサッシ取付け方法を提供すること。【解決手段】サッシ取付け方法は、外部サッシ４０下端に位置する角形鋼管３１に、断熱材３２の上端面を覆うように、屋内側に立ち上がり部５２が形成された捨て水切り５０を取り付けるステップＳ１と、捨て水切り５０の立ち上がり部５２に、屋外側が上方に湾曲した火花養生材６０をビス６６で仮固定するステップＳ２と、建物１に外部サッシ４０を溶接で取り付けるステップＳ３と、建物１と外部サッシ４０下端との隙間ｄに、屋内側からインパクトドライバ６７を差し込んでビス６６を取り外すことで、火花養生材６０を取り外すステップＳ４と、外部サッシ４０下端に本設水切り４２を取り付けるステップＳ５と、を備える。【選択図】図３
2019167765.tif 000002
【特許請求の範囲】
【請求項１】
外壁面に断熱材が取り付けられた構造物にサッシを溶接で取り付けるサッシ取付け方法であって、
前記サッシの下に位置する下枠に、前記断熱材の上端面を覆うように、屋内側に立ち上がり部が形成された捨て水切りを取り付ける工程と、
当該捨て水切りの立ち上がり部に、屋外側が上方に湾曲した火花養生材をビスで仮固定する工程と、
前記構造物に前記サッシを溶接で取り付ける工程と、
前記構造物と前記サッシ下端との隙間に、屋内側からドライバーを差し込んで前記ビスを取り外すことで、前記火花養生材を取り外す工程と、
前記サッシ下端に水切りを取り付ける工程と、を備えることを特徴とするサッシ取付け方法。
【請求項２】
前記火花養生材には、紐状部材が取り付けられており、
前記火花養生材を屋内側からビスで仮固定した後、前記紐状部材の先端を前記構造物に仮固定し、
前記火花養生材を取り外した後、前記紐状部材を前記構造物から取り外すことを特徴とする請求項１に記載のサッシ取付け方法。
【発明の詳細な説明】
【技術分野】
【０００１】
本発明は、外壁面に断熱材が取り付けられた構造物に、サッシを溶接で取り付けるサッシ取付け方法に関する。
【背景技術】
【０００２】
従来より、鉄骨部材同士を現場溶接する場合、溶接作業で発生した火花が飛散するのを防止するため、溶接火花受け治具が多数提案されている。例えば、特許文献１には、溶接対象の鉄骨部材における溶接箇所の周囲に取り付けられる養生治具が示されている。
【０００３】
ところで、外壁面に断熱材を取り付けた、いわゆる外断熱構造の建物がある。このような建物の外周の腰壁の上にサッシを取り付ける場合、この建具の全周に亘って所定間隔おきに建物の構造体に溶接固定することになるが、外壁面に断熱材が設けられているため、外壁面の火花養生が必要となる。
サッシの取り付け作業においては、溶接箇所が互いに離れているうえに、鉄骨部材同士の溶接に比べて溶接時間が短く、溶接火花の発生量が少ないため、簡易な養生が行われることが多い。例えば、腰壁から外側に防炎シートを垂らしたり、特許文献２、３に示すように、防炎シートを広げた状態で保持する治具を用いたりすることが提案されている。
【先行技術文献】
【特許文献】
【０００４】
【特許文献１】特開２０００−２９１８８３号公報
【特許文献２】特開平８−３３９８４号公報
【特許文献３】特開２００３−２４５７７７号公報
【発明の概要】
【発明が解決しようとする課題】
【０００５】
しかしながら、建物外周にサッシを取り付ける場合、防炎シートを腰壁に垂らすと、景観上好ましくなく、強風時には防炎シートがめくれて十分な火花養生ができないおそれがあった。また、防炎シートを垂直に垂らすだけでは、腰壁を養生することはできても、溶接火花が直下に落ちるため、落下した溶接火花により下階の外装材やガラスが損傷する可能性があった。また、治具を利用して防炎シートを広げても、強風時には防炎シートがめくれて十分な火花養生ができないおそれがあった。
【０００６】
本発明は、外壁面に断熱材が取り付けられた構造物にサッシを溶接で取り付ける際に、簡易かつ確実に溶接火花から養生できるサッシ取付け方法を提供することを目的とする。
【課題を解決するための手段】
【０００７】
請求項１に記載のサッシ取付け方法は、外壁面に断熱材（例えば、後述の断熱材３２）が取り付けられた構造物（例えば、後述の建物１）にサッシ（例えば、後述の外部サッシ４０）を溶接で取り付けるサッシ取付け方法であって、前記サッシの下に位置する下枠（例えば、後述の角形鋼管３１）に、前記断熱材の上端面を覆うように、屋内側に立ち上がり部（例えば、後述の立ち上がり部５２）が形成された捨て水切り（例えば、後述の捨て水切り５０）を取り付ける工程（例えば、後述のステップＳ１）と、当該捨て水切りの立ち上がり部に、屋外側が上方に湾曲した火花養生材（例えば、後述の火花養生材６０）をビス（例えば、後述のビス６６）で仮固定する工程（例えば、後述のステップＳ２）と、前記構造物に前記サッシを溶接で取り付ける工程（例えば、後述のステップＳ３）と、前記構造物と前記サッシ下端との隙間（例えば、後述の隙間ｄ）に、屋内側からドライバー（例えば、後述のインパクトドライバ６７）を差し込んで前記ビスを取り外すことで、前記火花養生材を取り外す工程（例えば、後述のステップＳ４）と、前記サッシ下端に本設水切り（例えば、後述の本設水切り４２）を取り付ける工程（例えば、後述のステップＳ５）と、を備えることを特徴とする。
【０００８】
この発明によれば、屋外側が上方に湾曲した火花養生材を捨て水切りに取り付けた。構造物にサッシを溶接で取り付ける際、この火花養生材でサッシの溶接火花を受け止めるので、外壁面に設けられた断熱材や下階のガラス窓を確実に溶接火花から養生できる。
また、火花養生材を捨て水切りにビスで仮固定したので、火花養生材を簡易に取り付けることができる。また、火花養生材を取り外す際には、構造物とサッシ下端との隙間に屋内側からドライバーを差し込んでビスを取り外すだけでよいので、火花養生材の撤去も容易である。
火花養生材は他のフロアや構造物にも転用可能であるので、火花養生材の製作個数を少なくできるから、施工コストを低減できる。
【０００９】
請求項２に記載のサッシ取付け方法は、前記火花養生材には、紐状部材（例えば、後述の親綱ロープ６５）が取り付けられており、前記火花養生材を屋内側からビスで仮固定した後、前記紐状部材の先端を前記構造物に仮固定し、前記火花養生材を取り外した後、前記落下防止紐を前記構造物から取り外すことを特徴とする。
【００１０】
この発明によれば、火花養生材に紐状部材を取り付けて、火花養生材を仮固定している期間、この紐状部材を構造物に仮固定しておく。よって、この紐状部材で火花養生材が構造物に連結されるので、火花養生材を仮固定するビスが外れても、火花養生材が落下するのを防止できる。
【発明の効果】
【００１１】
本発明によれば、外壁面に断熱材が取り付けられた構造物にサッシを溶接で取り付ける際に、簡易かつ確実に溶接火花から養生できる。
【図面の簡単な説明】
【００１２】
【図１】本発明の一実施形態に係るサッシ取付け方法により外部サッシが取り付けられた建物の縦断面図である。
【図２】図１の破線Ａで囲んだ部分の拡大図である。
【図３】前記外部サッシを前記建物に取り付ける手順のフローチャートである。
【図４】前記外部サッシを前記建物に取り付ける手順の説明図（その１）である。
【図５】前記外部サッシの取付けに用いる火花養生材の斜視図である。
【図６】前記外部サッシを前記建物に取り付ける手順の説明図（その２）である。
【図７】前記外部サッシを前記建物に取り付ける手順の説明図（その３）である。
【発明を実施するための形態】
【００１３】
以下、本発明の一実施形態について、図面を参照しながら説明する。
図１は、本発明の一実施形態に係るサッシ取付け方法により外部サッシ４０が取り付けられた構造物としての建物１の縦断面図である。
建物１は、鉄骨造の建物であり、外周鉄骨梁１０と、外周鉄骨梁１０に支持された床スラブ２０、外周鉄骨梁１０に支持された外装パネル３０、上下の外装パネル３０同士の間に取り付けられた外部サッシ４０を備える。
【００１４】
外装パネル３０は、図示しない支持金物を介して外周鉄骨梁１０に支持されている。外装パネル３０は、矩形枠状の角形鋼管３１と、この角形鋼管３１の外面に取り付けられた断熱材３２と、を備えている。この外装パネル３０は、外周鉄骨梁１０に取り付けられた状態で、外周鉄骨梁１０の当階の腰壁２から下階の垂れ壁３までを構成する。
床スラブ２０は、鉄筋コンクリート造であり、例えばハーフプレキャストＰＣを用いて構築されている。床スラブ２０と外装パネル３０との隙間には、ロックウール１１が充填されている。
【００１５】
外周鉄骨梁１０の屋内側の側面および外周鉄骨梁１０の下面から外装パネル３０の屋内側の側面にかけて、耐火被覆１１が吹き付けられている。また、外装パネル３０の屋内側の側面のうち耐火被覆１２とロックウール１１との間には、耐火ボード（石膏ボード）１３が取り付けられている。
外部サッシ４０は矩形枠状であり、この外部サッシ４０の下端は、当階の腰壁２の上端となる外装パネル３０の下枠としての角形鋼管３１に溶接固定される。外部サッシ４０の上端は、当階の垂れ壁３の下端となる外装パネル３０の角形鋼管３１に溶接固定される。
【００１６】
図２は、図１の破線Ａで囲んだ部分の拡大図である。
外部サッシ４０の下端つまり腰壁２の上端に位置する下枠としての外装パネル３０の角形鋼管３１には、捨て水切り（捨て笠木）５０が固定されている。すなわち、捨て水切り５０は、屋外に向かうに従って下がる水切り本体５１と、この水切り本体５１の屋内側に形成された立ち上がり部５２と、を備える。捨て水切り５０の水切り本体５１の先端側が外装パネル３０の断熱材３２の上端面を覆った状態で、水切り本体５１の基端側は、外装パネル３０の角形鋼管３１にビス５３で固定されている。
【００１７】
外部サッシ４０の下端は、外装パネル３０の角形鋼管３１にアングル材４１を介して溶接固定されている。
また、外部サッシ４０の下端には、本設水切り４２が取り付けられている。この本設水切り４２の基端側は、外部サッシ４０の下端にビス４３で固定されるとともに、アングル材４１に溶接固定されている。本設水切り４２の先端側は、捨て水切り５０を覆っている。
外部サッシ４０の下端と本設水切り４２との間の隙間には、シーリング材４４が打設されている。本設水切り４２の先端と外装パネル３０の断熱材３２（捨て水切り５０）との隙間には、シーリング材４５が打設されている。
【００１８】
以上のような外部サッシ４０を建物１に取り付ける手順について、図３のフローチャートを参照しながら説明する。
初期状態として、外周鉄骨梁１０を含んで鉄骨建方を行い、外装パネル３０を取り付けて、床スラブ２０を構築しておく。このとき、床スラブ２０に仮設手摺り２１を取り付けておく（図１参照）。
【００１９】
ステップＳ１では、図４に示すように、腰壁２の上端に捨て水切り５０を取り付ける。
すなわち、外装パネル３０の断熱材３２の上端面を覆うように、捨て水切り５０を腰壁２の上端に位置する外装パネル３０の角形鋼管３１にビス５３で固定する。
【００２０】
ステップＳ２では、図４に示すように、捨て水切り５０に火花養生材６０を仮固定する。
図５は、火花養生材６０の斜視図である。この火花養生材６０は、鋼製であり、例えば、厚さ０．６ｍｍ、長さ２ｍ、幅３０ｃｍのガリバリウム鋼板を折り曲げ形成したものである。火花養生材６０は、屋外側が上方に湾曲した火花受け部６１と、火花受け部６１の屋内側に形成された立ち上がり部６２と、を備える。火花受け部６１には、貫通孔６３が形成されている。両端にフック６４が取り付けられた紐状部材としての親綱ロープ６５を用意し、この親綱ロープ６５の一端側のフック６４を貫通孔６３に連結しておく。
火花養生材６０の火花受け部が外側に突出するように配置して、この火花養生材６０の立ち上がり部６２を、捨て水切り５０の立ち上がり部５２に屋内側からビス６６で仮固定する。このとき、１枚の火花養生材６０につき、ビス６６の取り付け箇所を例えば３箇所とする。また、火花養生材６０をビス６６で仮固定した後、親綱ロープ６５の先端側のフック６４を仮設手摺り２１に連結する。
【００２１】
ステップＳ３では、図６に示すように、外部サッシ４０を取り付ける。
すなわち、外部サッシ４０を当階の下側の外装パネル３０（腰壁２）と上側の外装パネル３０（垂れ壁３）との間に配置し、位置決めを行う。次に、外部サッシ４０の下端を、上側の外装パネル３０の角形鋼管３１に溶接固定するとともに、外部サッシ４０の下端を、下側の外装パネル３０の角形鋼管３１にアングル材４１を介して溶接固定する。このとき、火花養生材６０の火花受け部６１で外部サッシ４０の溶接火花Ｓを受け止める。
これにより、外部サッシ４０の下端と腰壁２上端の角形鋼管３１との間には、隙間ｄが形成される。
【００２２】
ステップＳ４では、図７に示すように、火花養生材６０を撤去する。
すなわち、隙間ｄに屋内側からインパクトドライバ６７を差し込んで、火花養生材６０を仮固定しているビス６６を取り外す。その後、火花養生材６０を屋内側に取り込んで、仮設手摺り２１に連結していたフック６４を取り外す。
ステップＳ５では、外部サッシ４０の下端に本設水切り４２をビス４３で取り付ける。
【００２３】
本実施形態によれば、以下のような効果がある。
（１）屋外側が上方に湾曲した火花養生材６０を捨て水切り５０に取り付けた。構造物に外部サッシ４０を溶接で取り付ける際、この火花養生材６０で外部サッシ４０の溶接火花Ｓを受け止めるので、外壁面に設けられた断熱材３２や下階のガラス窓を確実に溶接火花Ｓから養生できる。
また、火花養生材６０を捨て水切り５０にビス６６で仮固定したので、火花養生材を簡易に取り付けることができる。また、火花養生材６０を取り外す際には、建物１と外部サッシ４０下端との隙間ｄに屋内側からインパクトドライバ６７を差し込んでビス６６を取り外すだけでよいので、火花養生材６０の撤去も容易である。
火花養生材６０は他のフロアや構造物にも転用可能であるので、火花養生材６０の製作個数を少なくできるから、施工コストを低減できる。
【００２４】
（２）火花養生材６０に親綱ロープ６５を取り付けて、火花養生材６０を仮固定している期間、この親綱ロープ６５を建物１の仮設手摺り２１に仮固定しておく。よって、この親綱ロープ６５で火花養生材６０が建物１に連結されるので、火花養生材６０を仮固定するビス６６が外れても、火花養生材６０が落下するのを防止できる。
【００２５】
なお、本発明は前記実施形態に限定されるものではなく、本発明の目的を達成できる範囲での変形、改良等は本発明に含まれるものである。
【符号の説明】
【００２６】
１…建物（構造物）  ２…腰壁  ３…垂れ壁
１０…外周鉄骨梁  １１…耐火被覆  １２…ロックウール  １３…耐火ボード
２０…床スラブ  ２１…仮設手摺り
３０…外装パネル  ３１…角形鋼管（下枠）  ３２…断熱材
４０…外部サッシ  ４１…アングル材  ４２…本設水切り  ４３…ビス
４４…シーリング材  ４５…シーリング材
５０…捨て水切り  ５１…捨て水切り本体  ５２…立ち上がり部  ５３…ビス
６０…火花養生材  ６１…火花受け部  ６２…立ち上がり部  ６３…貫通孔
６４…フック  ６５…親綱ロープ（紐状部材）  ６６…ビス
６７…インパクトドライバ
【図１】
2019167765.tif 000003
【図２】
2019167765.tif 000004
【図３】
2019167765.tif 000005
【図４】
2019167765.tif 000006
【図５】
2019167765.tif 000007
【図６】
2019167765.tif 000008
【図７】
2019167765.tif 000009